(57)【特許請求の範囲】
【請求項１】
筐体と、
前記筐体の底面に配され、本装置に電力供給を行うことができるバッテリーユニットと、
前記筐体の底面に配され、情報媒体にデータを記録または再生可能なドライブユニットと、
前記ドライブユニットを閉塞可能なカバーと、
前記筐体の底面に配された複数の第１の脚部とを備え、
前記バッテリーユニットと前記カバーとは、前記筐体の底面において面方向に隣接して配置されている情報処理装置であって、
前記バッテリーユニットまたは前記カバーの底面に第２の脚部を備え、
前記第２の脚部は、２つの前記第１の脚部を結ぶ直線上であって、前記バッテリーユニットと前記カバーとが対向している領域の近傍に配置されている、情報処理装置。
【請求項２】
前記第２の脚部は、前記バッテリーユニットと前記カバーとが対向している前記領域が前記２つの第１の脚部の中央に位置しない場合には、一方の前記第１の脚部よりも他方の前記第１の脚部に近い位置に配置され、かつ、前記筐体の底面からの高さが、前記第１の脚部の高さと同じである、請求項１記載の情報処理装置。
【請求項３】
前記第２の脚部は、前記バッテリーユニットと前記カバーとが対向している前記領域が前記２つの第１の脚部の中央に位置しない場合には、一方の前記第１の脚部よりも他方の前記第１の脚部に近い位置に配置され、かつ、前記筐体の底面からの高さが、前記第１の脚部の高さよりも低い、請求項１記載の情報処理装置。
【請求項４】
前記第２の脚部は、端部を湾曲面とした、請求項１記載の情報処理装置。
【請求項５】
前記ドライブユニットと前記カバーとは、一体化されている、請求項１記載の情報処理装置。
【発明の詳細な説明】
【技術分野】
【０００１】
本発明は、ノート型パ−ソナルコンピュータ（以下、ノートパソコンと称する）などの情報処理装置に関する。特に、情報処理装置の筐体構造に関する。
【背景技術】
【０００２】
近年、ノートパソコンの普及が進み、機能だけに限らず、様々な形式のものが市場で売られている。
【０００３】
ノートパソコンは、一般的に充電式のバッテリーからの給電により駆動する。バッテリーは、ノートパソコンにおける所定の位置に着脱可能である。また、最近のノートパソコンは、例えばハードディスクドライブ（以下、ＨＤＤと称する）やシリコンディスクドライブなどの記憶媒体を着脱可能に搭載しているものがある。このようなノートパソコンに対して例えば着脱可能なＨＤＤでは、劣化や故障による交換、記憶容量アップ、データ移動を主な用途とする。
【０００４】
図７は、従来のノートパソコンの斜視図である。図７に示すノートパソコンは、キーボード１０３や中央演算処理装置（ＣＰＵ）などを備えた第１の筐体１０１と、液晶モニタ１０４を備えた第２の筐体１０２とから構成されている。第１の筐体１０１と第２の筐体１０２とは、ヒンジ機構１０５により回動自在に支持されている。なお、ノートパソコンの図７に示す状態を第１の状態と定義し、第１の状態から第２の筐体１０２を矢印Ａに示す方向へ回動させて液晶モニタ１０４をキーボード１０３に対向させた状態を第２の状態と定義する。
【０００５】
図８は、第２の状態のノートパソコンを背面側から見た図である。図８に示すように、ノートパソコンの背面１０１ｂ（背面１０１ｂは、図１に示す前面１０１ａの反対面である）および底面１０１ｃには、バッテリーユニット１０６とカバー１０７とが配されている。バッテリーユニット１０６は、ノートパソコンに給電を行うことができる充電池が内蔵されている。カバー１０７は、その内側に配されたＨＤＤを覆うように配されている。バッテリーユニット１０６の側面１０６ａとカバー１０７の側面１０７ａとは、微小隙間を挟んで対向している。
【０００６】
また、第１の筐体１０１の底面１０１ｃには、ノートパソコンを衝撃などから保護するために、ゴムなどの弾性部材で形成された脚部１０８が配されている。脚部１０８は、底面１０１ｃの四隅近傍にそれぞれ配されている。
【０００７】
特許文献１（特開２００３−１６７６４４号公報）には、ノートパソコンの底面に脚部を配した構成が開示されている。また、特許文献２（特開２００７−１６４８８４号公報）には、携帯電話端末においてバッテリーとハードディスクドライブとを筐体の平面方向にずらして配置した構成が開示されている。
【特許文献１】特開２００３−１６７６４４号公報
【特許文献２】特開２００７−１６４８８４号公報
【発明の開示】
【発明が解決しようとする課題】
【０００８】
しかしながら、図８に示すように、カバー１０７とバッテリーユニット１０６とを第１の筐体１０１の底面１０１ｃの面方向に並べて配置した場合、カバー１０７とバッテリーユニット１０６とが対向する境界部Ｙでは、第１の筐体１０１の厚さ方向の強度が不足している。したがって、ノートパソコンを誤って床などに落下させてしまったり、第１の筐体１０１の上面１０１ｅあるいは第２の筐体１０２の背面１０２ａに対して矢印Ｚに示す方向に強い押圧力が加わった場合などでは、図９に示すように境界部Ｙが屈曲してしまう可能性がある。このような状態になれば、第１の筐体１０１およびそれに内蔵された電気回路基板などが破損してしまうという問題が生じる。
【０００９】
本発明の目的は、カバーとバッテリーユニットとを筐体の底面に面方向に並べて配置した構成において、カバーとバッテリーユニットとの境界部に強い力が加わったとしても、筐体が屈曲することを防止することができ、筺体およびそれに内蔵された電気回路基板などが破損することを防止することである。
【課題を解決するための手段】
【００１０】
本発明の情報処理装置は、筐体と、前記筐体の底面に配され、本装置に電力供給を行うことができるバッテリーユニットと、前記筐体の底面に配され、情報媒体にデータを記録または再生可能なドライブユニットと、前記ドライブユニットを閉塞可能なカバーと、前記筐体の底面に配された複数の第１の脚部とを備え、前記バッテリーユニットと前記カバーとは、前記筐体の底面において面方向に隣接して配置されている、情報処理装置であって、前記バッテリーユニットまたは前記カバーの底面に配された第２の脚部を備え、前記第２の脚部は、２つの前記第１の脚部を結ぶ直線上であって、前記バッテリーユニットと前記カバーとが対向している領域の近傍に配置されているものである。
【発明の効果】
【００１１】
本発明は、カバーとバッテリーユニットとの境界部に強い力が加わったとしても、筐体が屈曲することを防止することができ、筺体およびそれに内蔵された電気回路基板などが破損することを防止することができる。
【発明を実施するための最良の形態】
【００１２】
本発明の情報処理装置は、上記構成を基本として以下のような態様をとることができる。すなわち、本発明の情報処理装置において、前記第２の脚部は、前記筐体の底面からの高さを、前記第１の脚部の高さと同じとした構成とすることができる。このような構成とすることで、情報処理装置を机上面などの平面に載置した時に、情報処理装置のガタツキを抑え、安定して載置することができる。
【００１３】
また、本発明の情報処理装置において、前記第２の脚部は、前記筐体の底面からの高さを、前記第１の脚部の高さよりも低くした構成とすることができる。このような構成とすることで、情報処理装置を机上面などの平面に載置した時に、情報処理装置のガタツキを抑え、安定して載置することができる。また、第１の脚部のみの位置精度及び寸法精度を出すだけでよいため、情報処理装置の製造性を向上することができる。
【００１４】
また、本発明の情報処理装置において、前記第２の脚部は、端部を湾曲面とした構成とすることができる。このような構成とすることで、情報処理装置をケースや鞄などの収納する際に、第２の脚部がケースなどに引っ掛かりにくいため、スムーズに収納することができる。
【００１５】
また、本発明の情報処理装置において、前記ドライブユニットと前記カバーとは、一体化されている構成とすることができる。このように、ドライブユニットとカバーとが各々独立した部材ではなく一体化された構成であったとしても、ドライブユニットに第２の脚部を備えることで、、情報処理装置を机上面などの平面に載置した時に、情報処理装置のガタツキを抑え、安定して載置することができる。
【００１６】
（実施の形態）
図１は、実施の形態における情報処理装置の一例であるノートパソコンの外観を示す斜視図である。
【００１７】
図１に示すように、ノートパソコンは、第１の筐体１と第２の筐体２とから構成されている。第１の筐体１は、その上面１ａにキーボード３を備え、中央演算処理装置（ＣＰＵ）や電気回路基板などを内蔵している。第２の筐体２は、液晶モニタ７を備えている。第１の筐体１及び第２の筐体２は、樹脂または軽金属（例えばアルミニウム、マグネシウム、アルミニウム合金、マグネシウム合金のいずれか）により形成されている。第１の筐体１と第２の筐体２とは、ヒンジ機構６によって矢印Ａ及びその逆方向に回動自在に結合している。なお、図１に示す状態を「第１の状態」と定義し、図１に示す第１の状態から第２の筐体２を矢印Ａに示す方向へ回動させ、液晶モニタ７とキーボード３とを微小隙間を挟んで対向させた状態を「第２の状態」と定義する。
【００１８】
図２は、第１の筐体１の下面１ｂの構成を示す平面図である。図３は、ノートパソコンを第２の状態にしたときの、第１の筐体１の背面１ｄ側の構成を示す背面図である。図２及び図３に示すように、第１の筐体１の下面１ｂには、ノートパソコンに加わる衝撃を和らげるために、四隅近傍に脚部１１，１２，１３，１４が配されている。
【００１９】
脚部１１〜１４は、エラストマーなどの弾性樹脂で形成されている。また、脚部１１〜１４は、ネジによる締結、接着剤による接着、爪係合などの固定手段により第１の筐体１に固定されている。また、脚部１１〜１４は、ノートパソコンを机上面などに載置した時にノートパソコンの姿勢が不安定にならないように、下面１ｂからの高さ寸法が設定されている。また、本実施の形態では、脚部１１及び１２は、略半円柱状に形成されている。また、脚部１３及び１４は、略円柱状に形成されている。なお、脚部１１〜１４の形状は一例である。
【００２０】
また、第１の筐体１には、バッテリーユニット４及びハードディスクドライブカバー５（以下、カバー５と称する）を備えている。また、バッテリーユニット４及びカバー５は、第１の筐体１の下面１ｂ及び背面１ｄの一部を形成するように配されている。また、バッテリーユニット４及びカバー５は、下面１ｂにおいてその面方向に並んで配されている。また、バッテリーユニット４及びカバー５は、第１の筐体１に対して着脱可能である。バッテリーユニット４は、ノートパソコンに電力を供給可能な充電池を内蔵している。カバー５は、その内側にＨＤＤが配されており、ＨＤＤに衝撃が伝わらないように保護するものである。カバー５の底面５ｂには、脚部１５が配されている。
【００２１】
図４は、ノートパソコンからバッテリーユニット４、カバー５、およびＨＤＤ（不図示）を取り外した状態を示す。図４に示すように、バッテリーユニット４の側面４ａには溝部４１が形成されている。また、側面４ａの裏面側に配された側面４ｂにも、溝部４１と同様の構成の溝部（不図示）が形成されている。また、ノートパソコンにおけるバッテリー装着部１７の内面１７ａにはリブ１７ｂが形成されている。また、バッテリー装着部１７とＨＤＤ装着部１８との間に立設された壁部１７ｃにおける内面１７ａに対向する面にも、リブ１７ｂと同様の構成のリブ（不図示）が形成されている。リブ１７ｂおよびその対向位置に形成されたリブは、薄板状に形成され、少なくとも溝部４１に嵌合可能な厚さを有する。バッテリーユニット４をバッテリー装着部１７に装着した時に、リブ１７ｂが側面４ｂに形成された溝部に嵌合し、リブ１７ｂの対向位置に形成されたリブが溝部４１に嵌合することで、バッテリー装着部１７に装着されたバッテリーユニット４が矢印Ｃに示す方向へ離脱するのを防ぐことができる。
【００２２】
脚部１５は、カバー５の底面５ｂにおけるバッテリーユニット４に近い位置に配されている。また、脚部１５は、エラストマーなどの弾性樹脂で形成されている。図６は、脚部１５近傍の拡大斜視図である。図６に示すように、脚部１５は、略半円柱状に形成されている。また、脚部１５は、上面１５ａにネジ１６を挿入するための孔部１５ｂが形成されている。脚部１５は、ネジ１６によってカバー５に固定されている。また、脚部１５は、その端部が、脚部１１及び１２の端部よりも僅かに低くなっている。本実施の形態ではカバー５の底面５ｂと第１の筐体１の下面１ｂとが面一となっており、底面５ｂから脚部１５の端部までの高さ寸法は、下面１ｂから脚部１１及び１２の端部までの高さ寸法よりも低くなっている。したがって、図５に示すように、ノートパソコンを机などの平面上に載置した時、脚部１１及び１２は机上面に接しているが、脚部１５と机上面との間には隙間Ｗが生じる。
【００２３】
以下、本実施の形態のノートパソコンに衝撃が加わった際の挙動について説明する。
【００２４】
図５に示すように、本実施の形態のノートパソコンは、バッテリーユニット４の側面４ａとカバー５の側面５ａとが対向している境界部Ｖには僅かな隙間があり、さらに側面４ａと側面５ａとは結合していない。したがって、ノートパソコンを誤って床などに落下させてしまったり、机などの上に載置している状態で第１の筐体１の上面１ａや第２の筐体２の上面２ａに矢印Ｂに示す向きの押圧力が加わると、第１の筐体１は境界部Ｖにおいて屈曲しようとする。
【００２５】
本実施の形態では、境界部Ｖの近傍に脚部１５を備えたことにより、ノートパソコンに対して矢印Ｂに示す方向の力が加わって、第１の筐体１が矢印Ｂに示す方向に屈曲しようとした場合、脚部１５の端部が面２０に当接する。これにより、第１の筐体１が大きく屈曲するのを規制している。
【００２６】
本実施の形態によれば、バッテリーユニット４とカバー５との境界部Ｖの近傍に脚部１５を備えたことにより、第１の筐体１に対して矢印Ｂに示す方向の力が加わったとしても、第１の筐体１が大きく屈曲するのを防ぐことができる。よって、第１の筐体１、およびそれに内蔵された電気回路基板などの各種部品が破損するのを防ぐことができる。
【００２７】
また、脚部１５の高さを脚部１１〜１４の高さよりも低くしたことにより、ノートパソコンを机上面などの平面に載置した時に、脚部１１〜１４が机上面に当接する。よって、ノートパソコンの姿勢が安定するとともに、第１の筐体１に矢印Ｂに示す方向の力が加わった時だけ脚部１５が机上面に当接し、第１の筐体１の屈曲を防止することができる。すなわち、脚部１５の高さ寸法を脚部１１〜１４の高さ寸法と同じにするために脚部１５を形成した場合、脚部１５の加工精度のバラツキによって、脚部１１〜１４よりも高さが高くなってしまう場合がある。すると、ノートパソコンの姿勢が不安定になってしまう。そこで、本実施の形態のように、脚部１５の高さ寸法が脚部１１〜１４の高さ寸法よりも低くなるように脚部１５を形成することで、脚部１５の寸法精度に多少のバラツキがあったとしても、脚部１１〜１４の高さ寸法よりも高くなる可能性が極めて低くなる。よって、ノートパソコンの姿勢を安定させることができる。
【００２８】
また、本実施の形態では、脚部１５は、ネジ１６によってカバー５に固定されている構成としたことにより、強固にカバー５に固定することができる。
【００２９】
また、本実施の形態では、脚部１５は、その上面１５ａを湾曲形状としたことにより、ノートパソコンをケースや鞄などに収納する際に、ケースなどの内面に引っ掛かりにくく、スムーズに挿入及び抜き出すことができる。
【００３０】
なお、本実施の形態では、脚部１５は、図６に示すように略半円柱状としたが、少なくとも第１の筐体１及び第２の筐体２が屈曲する方向に力が加わった際に、境界部Ｖの近傍の屈曲を抑えることができれば、他の形状であってもよい。例えば、外径が小さい円筒形状で形成されていてもよい。
【００３１】
また、本実施の形態では、脚部１５の高さを脚部１１〜１４の高さよりも低くしたが、同じ高さとしてもよい。脚部１５を脚部１１〜１４と同一高さとすることで、ノートパソコンをガタツキなく机上面などに載置することができる。また、第１の筐体１に対して矢印Ｂに示す方向の力が加わったとしても、脚部１５が机上面に当接し、第１の筐体１が屈曲するのを防ぐことができる。
【００３２】
また、本実施の形態では、図２及び図３に示すように、脚部１５は、脚部１１と脚部１２とを結ぶ直線上のほぼ中央に配置されている。このような構成は、第１の筐体１の撓みを防ぐ目的では好ましいが、境界部Ｖのように強度が低い部分を補強する目的では必ずしも中央に配置しなくてもよい。例えば、図２及び図３に示す構成では、バッテリーユニット４の幅寸法とカバー５の幅寸法とはほぼ同一であるが、バッテリーユニット４の幅寸法がカバー５の幅寸法の約２倍であった場合、境界部Ｖの位置は脚部１１よりも脚部１２に近い位置に位置することになる。このような構成では、脚部１５は、脚部１１と脚部１２とを結ぶ直線上の中央ではなく、境界部Ｖの近傍に配置することが好ましい。
【００３３】
また、本実施の形態では、図５に示すようにノートパソコンが第２の状態の時に、脚部１５で第１の筐体１の屈曲を防ぐことについて説明したが、ノートパソコンが図１に示す第１の状態の時に上面１ａやキーボード３に強い押圧力が加わった場合でも、脚部１５が机上面などに当接し、第１の筐体１の屈曲を規制することができる。
【００３４】
また、本実施の形態では、ＨＤＤに対して独立した部材で形成されたカバー５を備えたが、カバー５とＨＤＤとは一体化されていてもよい。すなわち、カバー５は必須ではなく、カバー５の機能をＨＤＤに備える構成であればよい。例えば、底面が第１の筐体１の底面とほぼ面一となる外形を有するドライブユニットを備え、そのドライブユニットの底面に脚部１５を備える構成であってもよい。
【００３５】
また、本実施の形態では、バッテリーユニット４とカバー５は、第１の筐体１に対して着脱可能な構成としたが、それぞれが第１の筐体１に固定されていてもよい。その場合、バッテリーユニット４とカバー５とが互いに結合していない構成であれば、バッテリーユニット４とカバー５とが対向している領域の強度が低いため、その対向領域の近傍に脚部１５を備えることで第１の筐体１の強度を向上させることができる。
【００３６】
また、本実施の形態における脚部１１〜１４は、本発明の第１の脚部の一例である。また、本実施の形態における脚部１５は、本発明の第２の脚部の一例である。
【００３７】
また、本実施の形態では、バッテリーユニット４は、リブ１７ｂと溝部４１との嵌合によりノートパソコンにおけるバッテリー装着部１７に保持される構成は、バッテリーユニット４を保持する構成の好ましい例であるが、図６に示す構成としてもよい。図６に示す構成は、バッテリーユニット４の側面４ａに形成された突起部４２を、カバー５の規制部５１と第１の筐体１に形成された規制部１９とで挟持し、バッテリーユニット４をバッテリー装着部１７に保持する構成である。図６に示す構成の場合、リブ１７ｂや溝部４１は無くてもよい。また、図６に示す構成において、例えば図５における矢印Ｂに示す方向へ衝撃力が加わった場合、その力を規制部１９、突起部４２、規制部５１、脚部１５で受けることができ、第１の筐体１が大きく屈曲するのを防ぐことができる。
【００３８】
また、本実施の形態では、情報処理装置の一例としてノートパソコンを挙げて説明したが、少なくとも装置本体に対して着脱可能なバッテリー及びディスクドライブを備えた構成であれば、本実施の形態と同様の効果が得られる。情報処理装置の例としては、例えば、ＰＤＡ（personal digital assistance）、携帯型ゲーム機、携帯型医療機器などがある。
【産業上の利用可能性】
【００３９】
本発明の情報処理装置は、ノートパソコンなどに有用である。
【図面の簡単な説明】
【００４０】
【図１】実施の形態における情報処理装置の外観を示す斜視図
【図２】第１の筐体の下面の構成を示す平面図
【図３】情報処理装置を第２の状態にしたときの、第１の筐体の背面側の構成を示す背面図
【図４】情報処理装置からバッテリーを取り外した状態を示す斜視図
【図５】情報処理装置を机上面に載置した状態を示す背面図
【図６】第２の脚部近傍の要部斜視図
【図７】従来の情報処理装置の構成を示す斜視図
【図８】従来の情報処理装置の背面図
【図９】従来の情報処理装置が押圧されて屈曲した状態を示す背面図
【符号の説明】
【００４１】
１  第１の筐体
４  バッテリーユニット
５  カバー
１１，１２，１３，１４，１５  脚部
【図１】
0005078804.tif 000002
【図２】
0005078804.tif 000003
【図３】
0005078804.tif 000004
【図４】
0005078804.tif 000005
【図５】
0005078804.tif 000006
【図６】
0005078804.tif 000007
【図７】
0005078804.tif 000008
【図８】
0005078804.tif 000009
【図９】
0005078804.tif 000010